(57)【要約】      （修正有）【課題】掃除をする場合に、こたつ布団カバー又はこたつ布団を上げた状態に確実に保ち、掃除をしやすくする。【解決手段】本体が装着する垂下部１〜４の表側の天板に近い位置にマジックテープ（登録商標）ａ列と、表側又は裏側の裾に近い位置にマジックテープ（商標登録）ｂ列を接着させることで、又、前記ａ列とｂ列の各々に装着したマジックテープ（登録商標）のカバー１７と１７を、適宜接着させることでも、こたつ布団カバー又はこたつ布団を捲り上げた状態に、確実に保ち続ける。【選択図】図１
0003112267.tif 000002
【実用新案登録請求の範囲】
【請求項１】
こたつ布団カバーの、垂下部１〜４の表側の天板に近い上部に、１面につき最低限１箇所以上に、マジックテープ（登録商標）ａ列を装着し、各々のマジックテープ（登録商標）ａ列の位置から垂直に下がった、こたつ布団カバーの裾に近い位置の、こたつ布団カバーの裏側又は表側に、各々マジックテープ（登録商標）ｂ列を装着し、ａ列とｂ列を接着することで垂下部１〜４を捲り上げた状態で固定できる、布等適宜素材で作ったこたつ布団カバー。
【請求項２】
前記こたつ布団カバーが、布等適宜素材で作られたこたつ布団である場合の請求項１のこたつ布団。
【請求項３】
前記マジックテープ（登録商標）ａ列又はａ列とｂ列の各々を保護し、一部が本体に接着して本体と一体化していて、且つ、裏面にマジックテープ（登録商標）１８を装着する等することで本体に固定できる、適宜形状・適宜素材で作られたマジックテープ（登録商標）のカバー１７を装着した、請求項１と請求項２のこたつ布団カバー又はこたつ布団。
【請求項４】
前記マジックテープ（登録商標）ａ列とｂ列全てに、マジックテープ（登録商標）のカバー１７を装着し、ａ列のマジックテープ（登録商標）のカバー１７と、ｂ列のマジックテープ（登録商標）のカバー１７を接着することで、垂下部１〜４を捲り上げた状態で固定することもできる、請求項１、請求項２のこたつ布団カバー又はこたつ布団。
【考案の詳細な説明】
【技術分野】
【０００１】  本考案は、こたつ布団カバー又はこたつ布団の天板に近い部分と裾に近い部分にマジックテープ（登録商標）を装着することで、掃除の時に、捲り上げたこたつ布団をマジックテープ（登録商標）で固定し、こたつ布団を捲り上げたままの状態に保つことのできるこたつ布団カバー又はこたつ布団である。
【背景技術】
【０００２】  従来、床まで垂れているこたつ布団は、掃除をする時に妨げになった。その為、こたつ布団の垂下部１〜４を天板の上に上げてこたつの下を掃除をしていたが、掃除の途中でこたつ布団が天板から落ちることがあった。又、天板の上の食器等に垂下部１〜４に付いたゴミ等が食器に入ったり、天板の上の物を他の場所に移動してまた元に戻すという手間がかかったり、天板の上に整理されて置いてあった物の位置が変わって不便であった。
【考案の開示】
【考案が解決しようとする課題】
【０００３】  掃除の時にこたつ布団を上げる際、こたつの天板の上に被せることなく、こたつ布団の垂下部１〜４を上げたままの状態に確実に保つことで、こたつ布団と床の間に安定した一定の隙間を作り出し、掃除しやすい状態を作り出すことのできるこたつ布団又はこたつ布団カバーが必要であった。従って、垂下部１〜４の表側の天板に近い位置にマジックテープ（登録商標）ａ列と、表側又は裏側の裾に近い位置にマジックテープ（登録商標）ｂ列を装着し、各々ａ列とｂ列のマジックテープ（登録商標）を接着できるこたつ布団カバー又はこたつ布団を作ることで、速やかに容易に、こたつ布団カバー又はこたつ布団を上げた状態を確実に保つことを可能にし、前述の欠点を解決しようとするものである。
【課題を解決するための手段】
【０００４】  本考案は、こたつ布団カバー又はこたつ布団の表側の天板に近い位置にマジックテープ（登録商標）ａ列と、表側又は裏側の裾に近い位置にマジックテープ（登録商標）ｂ列を装着し、各々ａ列とｂ列のマジックテープ（登録商標）を接着させることで、天板の上にこたつ布団を被せることなく、速やかに容易に、こたつ布団を上げた状態に保ち続け、こたつ布団と床との間に一定の隙間を安定して作り出すことを可能にして、掃除をしやすくし、従来掃除の時にこたつ布団を上げる際に生じた様々な効率的欠点を解決する。【０００５】  マジックテープ（登録商標）は、本体の垂下部１〜４の表側の天板に近い上部に、１面につき最低限１箇所以上にａ列を装着し、且つ、各々のマジックテープ（登録商標）の位置から垂直に下がった、本体の裾に近い位置の裏側又は表側に、各々マジックテープ（登録商標）のｂ列を装着する。【０００６】  又、上述のマジックテープ（登録商標）各々に、本体に一部を接着ている、マジックテープ（登録商標）のカバー１７を被せることで、掃除をしない時には、マジックテープ（登録商標）がそのままの形で目に触れることがないので、こたつ布団カバー又はこたつ布団の美しさを損ねることがない。又、前記１７を紛失することを防ぎ、さらに、マジックテープ（登録商標）に前記１７を被せることで、マジックテープ（登録商標）を保護し、その機能を長く維持することができる。【０００７】  又、マジックテープ（登録商標）のカバー１７の裏に、マジックテープ（登録商標）１８を装着等すれば、前記１７を本体に固定させることが可能である。さらに、ａ列のマジックテープ（登録商標）のカバー１７とｂ列のマジックテープ（登録商標）のカバー１７を接着させることでも、本体を捲り上げた状態に確実に保つことが可能である
【考案の効果】
【０００８】  上述の様に、本考案のこたつ布団カバー又はこたつ布団は、掃除の時に、こたつ布団を天板の上に被せることなく、こたつ布団を容易に上げたままの状態を確実に保つことができる。この為、天板の上の食器等を汚さないので衛生的であり、天板の上の物を移動する等の手間が省け、こたつ布団が床に落ちる心配がないので掃除の作業効率を高める。又、こたつ布団カバーの場合は、こたつ布団全体を包むので、こたつ布団が汚れることがないので衛生的である。さらに、上述のように作業効率を上げるため、忙しい人でも短時間に容易にこたつの下を掃除できる。
【考案を実施するための最良の形態】
【０００９】  本体の垂下部１〜４の表側の天板に近い上部に、１面につき最低限１箇所以上に、マジックテープ（登録商標）ａ列を装着する。本体の垂下部１〜４の裏側又は表側の、表側に装着したマジックテープ（登録商標）ａ列の位置から垂直に下がった任意の位置に、マジックテープ（登録商標）ｂ列を装着する。又、前記マジックテープ（登録商標）ａ列とｂ列の全てに、本体に一部が接着されていて、裏面にマジックテープ（登録商標）１８を装着すること等で本体に固定できて、適宜形状・適宜素材で作った、マジックテープ（登録商標）のカバー１７を装着し、使用時以外の時は、マジックテープ（登録商標）を保護する。又、マジックテープ（登録商標）のカバー１７が紛失することも防ぎ、さらに、こたつ布団カバー又はこたつ布団の美しさを損ねることなく、見た目も美しく使用できる。
【実施例】
【００１０】  以下、添付図面に従って一実施例を説明する。本実施例は、こたつ布団カバーの場合である。こたつ布団を内包できる適宜な大きさの布等の適宜素材を縫い合わせ、適宜な場所にファスナー２４を装着して開閉可能にする。【００１１】  垂下部１の表側の天板に近い上部の右端寄りにマジックテープ（登録商標）のａ５を装着する。垂下部１の表側の天板に近い上部の中央にマジックテープ（登録商標）のａ６を装着する。垂下部１の表側の天板に近い上部の左端寄りにマジックテープ（登録商標）のａ７を装着する。同様に垂下部２〜４にもマジックテープ（登録商標）ａ８〜ａ１６を装着する。【００１２】  垂下部１の裏側又は表側のマジックテープ（登録商標）のａ５の位置から垂直に下がった、垂下部の裾に近い位置に、マジックテープ（登録商標）のｂ５を装着する。同様に、マジックテープ（登録商標）のａ６〜ａ１６の位置から垂直に下がった、垂下部の裾に近い位置の裏側又は表側に、マジックテープ（登録商標）ｂ６〜ｂ１６を装着する。又、マジックテープ（登録商標）の数は、こたつの天板の大きさに合わせて適宜調節する。【００１３】  表側のマジックテープ（登録商標）ａ列とｂ列の全てに、裏側にマジックテープ（登録商標）１８を装着した、適宜形状・適宜素材で作ったマジックテープ（登録商標）のカバー１７を装着し、掃除をしない時は、マジックテープ（登録商標）ａ５〜ａ１６とマジックテープ（登録商標）１８を接着させて、マジックテープ（登録商標）を保護する。前記１７は、本体に一部を接着することで、本体と一体化させて前記１７が紛失することを防ぎ、且つ、こたつ布団カバーを美しく見せる。【００１４】  掃除の時にこたつ布団を内包しているこたつ布団カバーを上げるには、マジックテープ（登録商標）のカバー１７の裏側に装着しているマジックテープ（登録商標）１８を剥がしながら、こたつ布団カバーを裏側から捲り上げて、マジックテープ（登録商標）ｂ５をマジックテープ（登録商標）ａ５に接着させ、同様にｂ６〜ｂ１６をａ６〜ａ１６に接着させる。上述の作業により、こたつ布団カバーの垂下部１〜４を含む本体の全体を、垂下部１〜４の上部に固定し、こたつ布団カバーと床との間に一定の隙間を作り出すことができる。【００１５】  又、各々、ａ列のマジックテープ（登録商標）のカバー１７とｂ列のマジックテープ（登録商標）のカバー１７の裏側に装着するマジックテープ（登録商標）とマジックテープ（登録商標）を接着することでも、こたつ布団カバーを捲り上げて固定することができる。【００１６】  本考案の一実施例は上述の如き構成からなるものであるから、掃除の時にこたつ布団カバーを捲り上げる場合、天板の上に被せることなく、速やかに容易に、こたつ布団カバー又はこたつ布団を捲り上げた状態で確実に保つことを可能にした。
【図面の簡単な説明】
【００１７】
【図１】こたつ布団又はこたつ布団カバーの通常の状態の、（ａ）は正面側の斜視図（ｂ）は背面側の斜視図
【図２】こたつ布団又はこたつ布団カバーを掃除の時に使用した際の斜視図
【図３】マジックテープ（登録商標）のカバー１７の部分の斜視図
【符号の説明】
【００１８】  １  垂下部１
２  垂下部２
３  垂下部３
４  垂下部４
ａ５〜ａ１６  マジックテープ（登録商標）
ｂ５〜ｂ１６  マジックテープ（登録商標）
１７  マジックテープ（登録商標）のカバー
１８  マジックテープ（登録商標）のカバーの裏側に装着したマジックテープ（登録商標）
２１  マジックテープ（登録商標）のカバーと垂下部との接着面
２３  天板
２４  ファスナー
【図１】
0003112267.tif 000003
【図２】
0003112267.tif 000004
【図３】
0003112267.tif 000005
【手続補正書】
【提出日】平成17年3月18日(2005.3.18)
【手続補正１】
【補正対象書類名】実用新案登録請求の範囲
【補正対象項目名】請求項１
【補正方法】変更
【補正の内容】
【請求項１】
こたつ布団カバーの、垂下部１〜４の表側の天板に近い上部に、１面につき最低限１箇所以上に、面ファスナーａ列を装着し、各々の面ファスナーａ列の位置から垂直に下がった、こたつ布団カバーの裾に近い位置の、こたつ布団カバーの裏側又は表側に、各々面ファスナーｂ列を装着し、ａ列とｂ列を接着することで垂下部１〜４を捲り上げた状態で固定できる、布等適宜素材で作ったこたつ布団カバー。
【手続補正２】
【補正対象書類名】実用新案登録請求の範囲
【補正対象項目名】請求項３
【補正方法】変更
【補正の内容】
【請求項３】
前記面ファスナーａ列又はａ列とｂ列の各々を保護し、一部が本体に接着して本体と一体化していて、且つ、裏面に面ファスナー１８を装着する等することで本体に固定できる、適宜形状・適宜素材で作られた面ファスナーのカバー１７を装着した、請求項１と請求項２のこたつ布団カバー又はこたつ布団。
【手続補正３】
【補正対象書類名】実用新案登録請求の範囲
【補正対象項目名】請求項４
【補正方法】変更
【補正の内容】
【請求項４】
前記面ファスナーａ列とｂ列全てに、面ファスナーのカバー１７を装着し、ａ列の面ファスナーのカバー１７と、ｂ列の面ファスナーのカバー１７を接着することで、垂下部１〜４を捲り上げた状態で固定することもできる、請求項１、請求項２のこたつ布団カバー又はこたつ布団。
【手続補正４】
【補正対象書類名】明細書
【補正対象項目名】全文
【補正方法】変更
【補正の内容】
【考案の詳細な説明】
【技術分野】
【０００１】  本考案は、こたつ布団カバー又はこたつ布団の天板に近い部分と裾に近い部分に面ファスナーを装着することで、掃除の時に、捲り上げたこたつ布団を面ファスナーで固定し、こたつ布団を捲り上げたままの状態に保つことのできるこたつ布団カバー又はこたつ布団である。
【背景技術】
【０００２】  従来、床まで垂れているこたつ布団は、掃除をする時に妨げになった。その為、こたつ布団の垂下部１〜４を天板の上に上げてこたつの下を掃除をしていたが、掃除の途中でこたつ布団が天板から落ちることがあった。又、天板の上の食器等に垂下部１〜４に付いたゴミ等が食器に入ったり、天板の上の物を他の場所に移動してまた元に戻すという手間がかかったり、天板の上に整理されて置いてあった物の位置が変わって不便であった。
【考案の開示】
【考案が解決しようとする課題】
【０００３】  掃除の時にこたつ布団を上げる際、こたつの天板の上に被せることなく、こたつ布団の垂下部１〜４を上げたままの状態に確実に保つことで、こたつ布団と床の間に安定した一定の隙間を作り出し、掃除しやすい状態を作り出すことのできるこたつ布団又はこたつ布団カバーが必要であった。従って、垂下部１〜４の表側の天板に近い位置に面ファスナーａ列と、表側又は裏側の裾に近い位置に面ファスナーｂ列を装着し、各々ａ列とｂ列の面ファスナーを接着できるこたつ布団カバー又はこたつ布団を作ることで、速やかに容易に、こたつ布団カバー又はこたつ布団を上げた状態を確実に保つことを可能にし、前述の欠点を解決しようとするものである。
【課題を解決するための手段】
【０００４】  本考案は、こたつ布団カバー又はこたつ布団の表側の天板に近い位置に面ファスナーａ列と、表側又は裏側の裾に近い位置に面ファスナーｂ列を装着し、各々ａ列とｂ列の面ファスナーを接着させることで、天板の上にこたつ布団を被せることなく、速やかに容易に、こたつ布団を上げた状態に保ち続け、こたつ布団と床との間に一定の隙間を安定して作り出すことを可能にして、掃除をしやすくし、従来掃除の時にこたつ布団を上げる際に生じた様々な効率的欠点を解決する。【０００５】面ファスナーは、本体の垂下部１〜４の表側の天板に近い上部に、１面につき最低限１箇所以上にａ列を装着し、且つ、各々の面ファスナーの位置から垂直に下がった、本体の裾に近い位置の裏側又は表側に、各々面ファスナーのｂ列を装着する。【０００６】  又、上述の面ファスナー各々に、本体に一部を接着ている、面ファスナーのカバー１７を被せることで、掃除をしない時には、面ファスナーがそのままの形で目に触れることがないので、こたつ布団カバー又はこたつ布団の美しさを損ねることがない。又、前記１７を紛失することを防ぎ、さらに、面ファスナーに前記１７を被せることで、面ファスナーを保護し、その機能を長く維持することができる。【０００７】  又、面ファスナーのカバー１７の裏に、面ファスナー１８を装着等すれば、前記１７を本体に固定させることが可能である。さらに、ａ列の面ファスナーのカバー１７とｂ列の面ファスナーのカバー１７を接着させることでも、本体を捲り上げた状態に確実に保つことが可能である
【考案の効果】
【０００８】  上述の様に、本考案のこたつ布団カバー又はこたつ布団は、掃除の時に、こたつ布団を天板の上に被せることなく、こたつ布団を容易に上げたままの状態を確実に保つことができる。この為、天板の上の食器等を汚さないので衛生的であり、天板の上の物を移動する等の手間が省け、こたつ布団が床に落ちる心配がないので掃除の作業効率を高める。又、こたつ布団カバーの場合は、こたつ布団全体を包むので、こたつ布団が汚れることがないので衛生的である。さらに、上述のように作業効率を上げるため、忙しい人でも短時間に容易にこたつの下を掃除できる。
【考案を実施するための最良の形態】
【０００９】  本体の垂下部１〜４の表側の天板に近い上部に、１面につき最低限１箇所以上に、面ファスナーａ列を装着する。本体の垂下部１〜４の裏側又は表側の、表側に装着した面ファスナーａ列の位置から垂直に下がった任意の位置に、面ファスナーｂ列を装着する。又、前記面ファスナーａ列とｂ列の全てに、本体に一部が接着されていて、裏面に面ファスナー１８を装着すること等で本体に固定できて、適宜形状・適宜素材で作った、面ファスナーのカバー１７を装着し、使用時以外の時は、面ファスナーを保護する。又、面ファスナーのカバー１７が紛失することも防ぎ、さらに、こたつ布団カバー又はこたつ布団の美しさを損ねることなく、見た目も美しく使用できる。
【実施例】
【００１０】  以下、添付図面に従って一実施例を説明する。本実施例は、こたつ布団カバーの場合である。こたつ布団を内包できる適宜な大きさの布等の適宜素材を縫い合わせ、適宜な場所にファスナー２４を装着して開閉可能にする。【００１１】  垂下部１の表側の天板に近い上部の右端寄りに面ファスナーａ５を装着する。垂下部１の表側の天板に近い上部の中央に面ファスナーａ６を装着する。垂下部１の表側の天板に近い上部の左端寄りに面ファスナーａ７を装着する。同様に垂下部２〜４にも面ファスナーａ８〜ａ１６を装着する。【００１２】  垂下部１の裏側又は表側の面ファスナーａ５の位置から垂直に下がった、垂下部の裾に近い位置に、面ファスナーｂ５を装着する。同様に、面ファスナーａ６〜ａ１６の位置から垂直に下がった、垂下部の裾に近い位置の裏側又は表側に、面ファスナーｂ６〜ｂ１６を装着する。又、面ファスナーの数は、こたつの天板の大きさに合わせて適宜調節する。【００１３】  表側の面ファスナーａ列とｂ列の全てに、裏側に面ファスナー１８を装着した、適宜形状・適宜素材で作った面ファスナーのカバー１７を装着し、掃除をしない時は、面ファスナーａ５〜ａ１６と面ファスナー１８を接着させて、面ファスナーを保護する。前記１７は、本体に一部を接着することで、本体と一体化させて前記１７が紛失することを防ぎ、且つ、こたつ布団カバーを美しく見せる。【００１４】  掃除の時にこたつ布団を内包しているこたつ布団カバーを上げるには、面ファスナーのカバー１７の裏側に装着している面ファスナー１８を剥がしながら、こたつ布団カバーを裏側から捲り上げて、面ファスナーｂ５を面ファスナーａ５に接着させ、同様にｂ６〜ｂ１６をａ６〜ａ１６に接着させる。上述の作業により、こたつ布団カバーの垂下部１〜４を含む本体の全体を、垂下部１〜４の上部に固定し、こたつ布団カバーと床との間に一定の隙間を作り出すことができる。【００１５】  又、各々、ａ列の面ファスナーのカバー１７とｂ列の面ファスナーのカバー１７の裏側に装着する面ファスナーと面ファスナーを接着することでも、こたつ布団カバーを捲り上げて固定することができる。【００１６】  本考案の一実施例は上述の如き構成からなるものであるから、掃除の時にこたつ布団カバーを捲り上げる場合、天板の上に被せることなく、速やかに容易に、こたつ布団カバー又はこたつ布団を捲り上げた状態で確実に保つことを可能にした。
【図面の簡単な説明】
【００１７】
【図１】こたつ布団又はこたつ布団カバーの通常の状態の、（ａ）は正面側の斜視図（ｂ）は背面側の斜視図
【図２】こたつ布団又はこたつ布団カバーを掃除の時に使用した際の斜視図
【図３】面ファスナーのカバー１７の部分の斜視図
【符号の説明】
【００１８】１  垂下部１
２  垂下部２
３  垂下部３
４  垂下部４
ａ５〜ａ１６面ファスナー
ｂ５〜ｂ１６面ファスナー
１７面ファスナーのカバー
１８面ファスナーのカバーの裏側に装着した面ファスナー
２１面ファスナーのカバーと垂下部との接着面
２３  天板
２４  ファスナー